(57)【要約】【課題】構造がシンプルで、低コストで、そのうえ見栄えのよい雛壇構造体を提供することである。【解決手段】少なくとも２つのプレートとからなるプレート群と、該少なくとも２つのプレートを離間し、水平に支持する中間支持体とから構成され、前記プレートが、ガラスまたはプラスチックからなり、前記中間支持体が、ガラス、プラスチック、石材、木材または金属からなる。【選択図】図１
2006167431.tif 000002
【特許請求の範囲】
【請求項１】
少なくとも２つのプレートとからなるプレート群と、
該少なくとも２つのプレートを離間し、水平に支持する１または２以上の中間支持体と
からなり、
前記プレートが、ガラスまたはプラスチックからなり、
前記中間支持体が、ガラス、プラスチック、石材、木材または金属からなる
ことを特徴とする雛壇組立構造体。
【請求項２】
仏壇内に設置される請求項１記載の雛壇組立構造体。
【請求項３】
家具内に設置される請求項１記載の雛壇組立構造体。
【請求項４】
２つのプレートと該２つのプレートを離間し水平に支持する１または２以上の中間支持体とからなる構造体の上に、２つのプレートと該２つのプレートを離間し水平に支持する１または２以上の中間支持体とからなる構造体がさらに少なくとも１つ設けられ、
前記プレートが、ガラスまたはプラスチックからなり、
前記中間支持体が、ガラス、プラスチック、石材、木材または金属からなる
ことを特徴とする雛壇組立構造体。
【請求項５】
仏壇内に設置される請求項４記載の雛壇組立構造体。
【請求項６】
家具内に設置される請求項４記載の雛壇組立構造体。
【請求項７】
前記プレートと中間支持体とが固着手段によって固着されてなる請求項１、２、３、４、５または６記載の仏壇内または家具内に設置される雛壇組立構造体。
【請求項８】
前記固着手段が接着剤である請求項７記載の仏壇内または家具内に設置される雛壇組立構造体。
【請求項９】
前記固着手段が螺子である請求項７記載の仏壇内または家具内に設置される雛壇組立構造体。
【請求項１０】
前記プレートと中間支持体とのあいだにスペーサが介装されてなる請求項１、２、３、４、５、６、７、８または９記載の仏壇内または家具内に設置される雛壇組立構造体。
【請求項１１】
前記スペーサがプレートに固着手段によって固着され、前記スペーサと中間支持体とが螺着されてなる請求項１０記載の仏壇内または家具内に設置される雛壇組立構造体。
【請求項１２】
前記固着手段が接着剤である請求項１１記載の仏壇内または家具内に設置される雛壇組立構造体。
【請求項１３】
前記固着手段が螺子である請求項１１記載の仏壇内または家具内に設置される雛壇組立構造体。
【請求項１４】
前記プレートの表面に保護処理が施されてなることを特徴とする請求項１、２、３、４、５、６、７、８、９、１０、１１、１２または１３記載の仏壇内または家具内に設置される雛壇組立構造体。
【発明の詳細な説明】
【技術分野】
【０００１】
本発明は仏壇内のみならず、一般の家具内に設置される雛壇組立構造体（以下、雛壇組立構造体という）に関する。さらに詳しくは、少なくとも２つのプレートとからなるプレート群と、該少なくとも２つのプレートを離間し、水平に支持する１または２以上の中間支持体とから構成された雛壇組立構造体に関する。なお、本発明において家具とは、和箪笥、洋箪笥、洋服箪笥などの箪笥、本棚、靴箱、戸棚、食器棚、サイドボードやキュリオケース（curio case）のほかクローゼットや収納壁を含む概念である。
【背景技術】
【０００２】
従来から、仏壇の内部には、雛壇と称する階段状の飾り棚が設けられている。仏壇本体や雛壇等の内部を形成している材質は木製のものが多く、その表面は塗料で塗膜が形成されていることが多い。雛壇の各天板の上には御本尊、位牌や五具足等の仏具を設置する。そのため、仏具により仏壇の雛壇の天板に傷がつくことが多々ある。よって、消費者自身が希望したり、仏壇屋がサービスで雛壇の上にガラスやプラスチック等の板を敷いて傷がつくことを防いでいる。
【発明の開示】
【発明が解決しようとする課題】
【０００３】
本発明の目的は、従来、雛壇を構成している各壇の保護材として用いられていた透明なガラスや合成樹脂材を雛壇を構成するプレートや支持体の素材として用いることにより、構造がシンプルで、低コストで、そのうえ見栄えのよい雛壇組立構造体を提供することである。
【課題を解決するための手段】
【０００４】
本発明の第１の態様である雛壇組立構造体は、少なくとも２つのプレートとからなるプレート群と、
該少なくとも２つのプレートを離間し、水平に支持する１または２以上の中間支持体と
からなり、
前記プレートが、ガラスまたはプラスチックからなり、
前記中間支持体が、ガラス、プラスチック、石材、木材または金属からなる
ことを特徴としている。ここで、２以上の中間支持体には、２以上の中間支持体が水平に設けられるものと、２以上の中間支持体が垂直方向に積み上げられるものとが含まれる。以下の実施の形態にみられるように、２つのプレートを離間し、水平に支持するための中間支持体は見栄えおよび生産効率の観点からは、１本であることが好ましいが、複数の中間支持体を水平に配列することも、垂直に積み上げることも可能である。
【０００５】
本発明の雛壇組立構造体は、２つのプレートと該２つのプレートを離間し水平に支持する中間支持体とからなる第１構造体の上に、２つのプレートと該２つのプレートを離間し水平に支持する１または２以上の中間支持体とからなる第２構造体が設けられ、
前記プレートが、ガラスまたはプラスチックからなり、
前記中間支持体が、ガラス、プラスチック、石材、木材または金属からなるようにしてもよい。ここで、２以上の中間支持体には、２以上の中間支持体が水平に設けられるものと、２以上の中間支持体が垂直方向に積み上げられるものとが含まれる。以下の実施の形態にみられるように、２つのプレートを離間し、水平に支持するための中間支持体は見栄えおよび生産効率の観点からは、１本であることが好ましいが、複数の中間支持体を水平に配列することも、垂直に積み上げることも可能である。
【発明の効果】
【０００６】
本発明の雛壇組立構造体によれば、従来、雛壇を構成している各壇の保護材として用いられていた透明なガラスや合成樹脂材を、雛壇を構成する少なくとも２つのプレートとからなるプレート群と、該少なくとも２つのプレートを離間し、水平に支持する中間支持体に使用しているため、構造がシンプルで、低コストで、そのうえ見栄えがよく、仏壇内への設置のみならず、一般の家具内にも設置することができる雛壇組立構造体を提供することができる。
【発明を実施するための最良の形態】
【０００７】
添付図面を参照しながら本発明の雛壇組立構造体（以下、単に「組立構造体」という）を以下に詳細に説明する。
【０００８】
図１は本発明の一実施の形態にかかわる組立構造体の側面説明図、図２は図１の組立構造体の平面説明図、図３は図１の組立構造体の中間支持体を示す斜視図、図４は本発明の他の実施の形態にかかわる組立構造体の側面説明図、図５は図４の組立構造体の平面説明図、図６は図４の組立構造体の中間支持体を示す斜視図、図７は本発明の一実施の形態にかかわる組立構造体を示す側面説明図、図８は図７の組立構造体の平面説明図、図９は本発明の他の実施の形態にかかわる組立構造体を示す側面説明図、図１０は図９の組立構造体の平面説明図、図１１は本発明のさらに他の実施の形態にかかわる組立構造体を示す側面説明図、図１２は図１１の組立構造体の平面説明図、図１３は本発明のさらに他の実施の形態にかかわる組立構造体を示す側面説明図、図１４は図１３の組立構造体の平面説明図、図１５は本発明のさらに他の実施の形態にかかわる組立構造体を示す側面説明図、図１６はさらに他の実施の形態にかかわる組立に用いられるプレートの断面構造の一例を示す説明図、図１７は本発明の組立構造体におけるプレートと中間支持体との固着方法を示す側面説明図、図１８は本発明の組立構造体におけるプレートと中間支持体との他の固着方法を示す側断面説明図、図１９は本発明のさらに他の実施の形態にかかわる組立構造体の側面図である。
【０００９】
実施の形態１
図１、２および３を参照すると、本実施の形態の組立構造体は、３つのプレート２ａ、２ｂ、２ｃとからなるプレート群２と、プレート２ａとプレート２ｂとを離間し、水平に支持する中間支持体３ａと、プレート２ｂとプレート２ｃとを離間し、水平に支持する中間支持体３ｂとから構成されている。中間支持体３ａおよび３ｂは、図３に示されるような、六角柱を呈している。図１には、プレート群２が３つのプレートからなるものが示されているが、これに限られず、２つでも４つまたは５つでも可能である。
【００１０】
プレート２ａと中間支持体３ａと、そしてプレート２ｂおよび２ｃと中間支持体３ｂとは、たとえば紫外線硬化型接着剤などの接着剤によって固着される。
【００１１】
プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）４が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００１２】
中間支持体３ａ、３ｂの素材としては、たとえばガラスのほか、アクリル樹脂、ポリカーボネートなどのプラスチックや大理石などの石材が採用される。
【００１３】
実施の形態２
図４、５および６を参照すると、本実施の形態の組立構造体は、３つのプレート２ａ、２ｂ、２ｃとからなるプレート群２と、プレート２ａとプレート２ｂとを離間し、水平に支持する中間支持体３ａと、プレート２ｂとプレート２ｃとを離間し、水平に支持する中間支持体３ｂとから構成されている。中間支持体３ａおよび３ｂは、図６に示されるような、八角柱を呈している。図４には、プレート群２が３つのプレートからなるものが示されているが、これに限られず、２つでも４つまたは５つでも可能である。
【００１４】
プレート２ａと中間支持体３ａと、そしてプレート２ｂおよび２ｃと中間支持体３ｂとは、たとえば紫外線硬化型接着剤などの接着剤によって固着される。
【００１５】
プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）４が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００１６】
中間支持体３ａ、３ｂの素材としては、たとえばガラスのほか、アクリル樹脂、ポリカーボネートなどのプラスチックや大理石などの石材が採用される。
【００１７】
実施の形態３
図７および８を参照すると、本実施の形態の組立構造体１は、３つのプレート２ａ、２ｂ、２ｃとからなるプレート群２と、プレート２ａとプレート２ｂとを離間し、水平に支持する矩形状の呈した２枚の中間支持体３ａ１および３ａ２と、プレート２ｂとプレート２ｃとを離間し、水平に支持する中間支持体３ｂ１および３ｂ２とから構成されている。プレート群２を構成するプレートの個数は３つに限られることはなく、たとえば２つであっても、４つまたは５つであってもよい。
【００１８】
プレート２ａ、２ｂ、２ｃと、中間支持体３ａ１、３ａ２、３ｂ１、３ｂ２とは接着剤によって固着される。また、中間支持体３ａ１と３ａ２と、３ｂ１と３ｂ２とを接着剤によって貼り合わされている。
【００１９】
また、プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）４が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００２０】
中間支持体３ａ１、３ａ２、３ｂ１、３ｂ２の素材としては、たとえばガラス、アクリル樹脂、ポリカーボネートなどのプラスチックや大理石などの石材が採用される。
【００２１】
実施の形態４
図９および１０を参照すると、本実施の形態の組立構造体１は、３つのプレート２ａ、２ｂ、２ｃとからなるプレート群２と、プレート２ａとプレート２ｂとを離間し、水平に支持する、３枚の矩形状の中間支持体３ａと、プレート２ｂとプレート２ｃとを離間し、水平に支持する３枚の矩形状の中間支持体３ｂとから構成されている。プレート群２を構成するプレートの個数は３つに限られることはなく、たとえば２つであっても、４つまたは５つであってもよい。
【００２２】
プレート２ａ、２ｂ、２ｃと、中間支持体３ａ、３ｂとは接着剤によって固着される。また、中間支持体３ａおよび３ｂは、それぞれ接着剤によって貼り合わされている。
【００２３】
また、プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）４が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００２４】
中間支持体３ａ、３ｂの素材としては、たとえばガラスのほか、アクリル樹脂、ポリカーボネートなどのプラスチックや大理石などの石材が採用される。
【００２５】
実施の形態５
図１１および１２を参照すると、本実施の形態の組立構造体１は、３つのプレート２ａ、２ｂ、２ｃとからなるプレート群２と、プレート２ａとプレート２ｂとを離間し、水平に支持する、八の字状に配置された２枚の矩形状の中間支持体３ａと、プレート２ｂとプレート２ｃとを離間し、水平に支持する八の字状に配置された２枚の矩形状の中間支持体３ｂとから構成されている。プレート群２を構成するプレートの個数は３つに限られることはなく、たとえば２つであっても、４つまたは５つであってもよい。
【００２６】
プレート２ａ、２ｂ、２ｃと、中間支持体３ａ、３ｂとは接着剤によって固着される。
【００２７】
また、プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）４が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００２８】
中間支持体３ａ、３ｂの素材としては、たとえばガラスのほか、アクリル樹脂、ポリカーボネートなどのプラスチックや大理石などの石材が採用される。
【００２９】
実施の形態６
図１３および１４を参照すると、本実施の形態の組立構造体１は、３つのプレート２ａ、２ｂ、２ｃとからなるプレート群２と、プレート２ａとプレート２ｂとを離間し、水平に支持する、それぞれ脊椎のように水平に重ね合わされ互いに接着剤によって張り合わされた７枚の正方形状の中間支持体３ａ１、３ａ２、３ａ３、３ａ４、３ａ５、３ａ６、３ａ７と、プレート２ｂとプレート２ｃとを離間し、水平に支持する、それぞれ脊椎のように水平に積み上げられ、互いに接着剤によって張り合わされた９枚の正方形状の中間支持体３ｂ１、３ｂ２、３ｂ３、３ｂ４、３ｂ５、３ｂ６、３ｂ７、３ｂ８、３ｂ９とから構成されている。プレート群２を構成するプレートの個数は３つに限られることはなく、たとえば２つであっても、４つまたは５つであってもよい。
【００３０】
プレート２ａ、２ｂ、２ｃと、中間支持体３ａ、３ｂとは接着剤によって固着される。また、７枚の中間支持体３ａ１、３ａ２、３ａ３、３ａ４、３ａ５、３ａ６、３ａ７、および９枚の中間支持体３ｂ１、３ｂ２、３ｂ３、３ｂ４、３ｂ５、３ｂ６、３ｂ７、３ｂ８、３ｂ９は、それぞれ接着剤によって貼り合わされている。本実施の形態の場合、プレート２ａとプレート２ｂとを離間し、水平に支持する中間支持体を構成する正方形状の構成部品、プレート２ｂとプレート２ｃとを離間し、水平に支持する中間支持体を構成する正方形状の構成部品は、それぞれ７枚および９枚に限られることはなく、仏壇の大きさによって構成部品の数を適宜調整することができる。
【００３１】
また、プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００３２】
７枚の中間支持体３ａ１、３ａ２、３ａ３、３ａ４、３ａ５、３ａ６、３ａ７、および９枚の中間支持体３ｂ１、３ｂ２、３ｂ３、３ｂ４、３ｂ５、３ｂ６、３ｂ７、３ｂ８、３ｂ９の素材としては、たとえばガラスのほか、アクリル樹脂、ポリカーボネートなどのプラスチックや大理石などの石材が採用される。
【００３３】
実施の形態７
図１５を参照すると、本実施の形態の組立構造体１は、３つのプレート２ａ、２ｂ、２ｃとからなるプレート群２と、プレート２ａとプレート２ｂとを離間し、水平に支持する円筒状または角柱状の中間支持体３ａと、プレート２ｂとプレート２ｃとを離間し、水平に支持する円筒状または角柱状の中間支持体３ｂとから構成されている。プレート群２を構成するプレートの個数は３つに限られることはなく、たとえば２つであっても、４つまたは５つであってもよい。
【００３４】
プレート２ａ、２ｂ、２ｃと、中間支持体３ａ、３ｂとは接着剤によって固着される。しかし、接着剤による固着方法に代えて、たとえば、図１７に示されるように、中間支持体３の上端および下端に雄螺子３ｍを設け、中間支持体３とプレート２ａおよび２ｂとのあいだにスペーサＣを介在させ、該スペーサＣに雌螺子（凹所）Ｒを設けて雄螺子３ｍと雌螺子とを螺合させることによってプレート２ａ、２ｂと、中間支持体３とを固着させることもできる。このばあい、スペーサＣは、プレート２ａおよび２ｂに接着剤または螺子によって予め固着させておくのがよい。また、図１８に示されるように、中間支持体３の上端および下端に雌螺子を刻設しておき、プレート２ａに設けた凹所Ｒから螺子Ｓを挿通させてプレート２ａと中間支持体３とを螺合させ、同様に、プレート２ｂに設けた凹所Ｒから螺子Ｓを挿通させてプレート２ｂと中間支持体３とを螺合させて、プレート２ａ、２ｂと、中間支持体３とを固着させることもできる。
【００３５】
また、中間支持体３ａおよび３ｂは、それぞれ接着剤によって貼り合わされている。
【００３６】
また、プレート２ａ、２ｂ、２ｃの素材としては、たとえばガラスや、アクリル樹脂、ポリカーボネートなどのプラスチックのほか、木材も採用され得る。プレート２ａ、２ｂ、２ｃの素材としてプラスチックが採用された場合には、図１６に示されるように、プレート２ａの上面に保護処理が施されたもの（すなわち、保護膜（ハードコート膜）が形成されたもの）を使用すると、さらに傷がつきにくいという利点がある。また、プレート２ａ、２ｂ、２ｃは透明のものが好ましいが、表面をブラスト加工を施して不透明にしたものを採用してもよい。
【００３７】
中間支持体３ａ、３ｂの素材としては、たとえば銅または銅合金、または鉄に金メッキを施したものなどの金属が採用される。
【００３８】
実施の形態８
本実施の形態の組立構造体１は、２つのプレート２ａ、２ｂと、２つのプレート２ａ、２ｂを離間し水平に支持する中間支持体３ａとからなる構造体が、２つのプレート２ｃ、２ｄと、２つのプレート２ｃ、２ｄを離間し水平に支持する中間支持体３ｂとからなる構造体の上に、接着剤または螺子などの固着手段によって固着されている。第２構造体のうえに、さらにプレートと、該２つのプレートを離間し水平に支持する中間支持体とからなる構造体を１つまたは２つ以上設けることもできる。
【００３９】
本実施の形態の組立構造体１の場合も、プレート２ａ、２ｂ、２ｃおよび２ｄの素材は、たとえばガラスや、アクリル樹脂、ポリカーボネートなどのプラスチックのほか、木材も採用され得る。
【００４０】
前記中間支持体の素材としては、たとえばガラスのほか、アクリル樹脂、ポリカーボネートなどのプラスチックや大理石などの石材が採用され得る。
【００４１】
前記実施の形態１〜８の組立構造体は仏壇への適用（すなわち仏壇内に設置されること）に限られることはない。近年の住宅事情の著しい変化に伴いマンションのような集合住宅、戸建の住宅において仏壇を設置するための部屋（いわゆる仏間）を確保できないことが多い。前記実施の形態１〜８の組立構造体は、かかる住宅事情に鑑みて、和箪笥、洋箪笥、洋服箪笥などの箪笥、本棚、靴箱、戸棚、食器棚、サイドボードやキュリオケース（curio case）のほかクローゼットや収納壁などの一般の家具内の適所に設置することも可能である。
【００４２】
一般の家具内に前記実施の形態１〜８の組立構造体を設置する際には、当該設置場所の上部等の適所に照明器具（蛍光灯、白熱灯、ＬＥＤなど当業者に自明なものはすべて含まれる）も設置するように配線することが好ましい。
【００４３】
このように、一般家具内に前記実施の形態１〜８の組立構造体を設置し、さらに照明器具までも設置するように配線するだけで、一般家具は家具本来の衣服類、食器類、本や置物などを収納する機能に加えて、仏壇としての機能をも併せもつことになる。
【図面の簡単な説明】
【００４４】
【図１】本発明の一実施の形態にかかわる組立構造体の側面説明図である。
【図２】図１の組立構造体の平面説明図である。
【図３】図１の組立構造体の中間支持体を示す斜視図である。
【図４】本発明の他の実施の形態にかかわる組立構造体の側面説明図である。
【図５】図４の組立構造体の平面説明図である。
【図６】図４の組立構造体の中間支持体を示す斜視図である。
【図７】本発明の一実施の形態にかかわる組立構造体を示す側面説明図である。
【図８】図７の組立構造体の平面説明図である。
【図９】本発明の他の実施の形態にかかわる組立構造体を示す側面説明図である。
【図１０】図９の組立構造体の平面説明図である。
【図１１】本発明のさらに他の実施の形態にかかわる組立構造体を示す側面説明図である。
【図１２】図１１の組立構造体の平面説明図である。
【図１３】本発明のさらに他の実施の形態にかかわる組立構造体を示す側面説明図である。
【図１４】図１３の組立構造体の平面説明図である。
【図１５】本発明のさらに他の実施の形態にかかわる組立構造体を示す側面説明図である。
【図１６】本発明のさらに他の実施の形態にかかわる組立に用いられるプレートの断面構造の一例を示す説明図である。
【図１７】本発明の組立構造体におけるプレートと中間支持体との固着方法を示す側面説明図である。
【図１８】本発明の組立構造体におけるプレートと中間支持体との他の固着方法を示す側断面説明図である。
【図１９】本発明のさらに他の実施の形態にかかわる組立構造体の側面図である。
【符号の説明】
【００４５】
１    組立構造体
２    プレート群
２ａ、２ｂ、２ｃ  プレート
３ａ、３ｂ  中間支持体
３ｍ  雄螺子
４    保護層
Ｃ    スペーサ
Ｒ    凹所
【図１】
2006167431.tif 000003
【図２】
2006167431.tif 000004
【図３】
2006167431.tif 000005
【図４】
2006167431.tif 000006
【図５】
2006167431.tif 000007
【図６】
2006167431.tif 000008
【図７】
2006167431.tif 000009
【図８】
2006167431.tif 000010
【図９】
2006167431.tif 000011
【図１０】
2006167431.tif 000012
【図１１】
2006167431.tif 000013
【図１２】
2006167431.tif 000014
【図１３】
2006167431.tif 000015
【図１４】
2006167431.tif 000016
【図１５】
2006167431.tif 000017
【図１６】
2006167431.tif 000018
【図１７】
2006167431.tif 000019
【図１８】
2006167431.tif 000020
【図１９】
2006167431.tif 000021